【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】変調された高周波搬送波を送信する方法および装置
【手続補正２】
【補正対象書類名】明細書
【補正対象項目名】特許請求の範囲
【補正方法】変更
【補正の内容】
【特許請求の範囲】
【請求項１】  コードレス電話システムにおいて音声とデータを同時に通信する方法であって、
通話中、可聴音声信号からアナログ信号を発生するステップと、  
通話中、ディジタル・データからディジタル変調信号を発生するステップと、
前記アナログ信号と前記ディジタル変調信号を加算して、複合アナログ・ディジタル信号を発生するステップと、
前記複合アナログ・ディジタル信号で高周波（ＲＦ）搬送波を変調するステップと、
前記変調されたＲＦ搬送波を送信するステップと、からなる、前記方法。
【請求項２】  前記ディジタル・データが、発呼者識別（ＩＤ）データからなる、請求項１記載の方法。
【請求項３】  前記ディジタル・データが、視覚表示用のテキスト・メッセージ・データからなる、請求項１記載の方法。
【請求項４】  前記ディジタル変調信号を発生するステップで、周波数偏移変調（ＦＳＫ）信号を発生する、請求項１記載の方法。
【請求項５】  前記アナログ信号を発生するステップで、５００〜５，０００Ｈｚの範囲内にある周波数を有するアナログ信号を発生し、前記ディジタル変調信号を発生するステップで、１０〜３０ＫＨｚの範囲内にある公称周波数を有するディジタル信号を発生する、請求項１記載の方法。
【請求項６】  音声とデータをコードレス電話システムにおいて同時に通信する方法であって、
通話中、変調された高周波（ＲＦ）搬送波を受信するステップと、
前記変調されたＲＦ搬送波を復調して、複合アナログ・ディジタル信号を発生するステップと、
前記複合アナログ・ディジタル信号を瀘波して、アナログ信号とディジタル変調信号とを互いに分離するステップと、
前記アナログ信号から可聴音声信号を発生するステップと、
前記ディジタル変調信号からディジタル・データを検出し、前記コードレス電話システムで表示または制御用に前記ディジタル・データを処理するステップと、からなる、前記方法。
【請求項７】  前記ディジタル・データが、発呼者識別（ＩＤ）データからなる、請求項６記載の方法。
【請求項８】  前記ディジタル・データが、視覚表示用のテキスト・メッセージ・データからなる、請求項６記載の方法。
【請求項９】  前記ディジタル・データを検出し、処理するステップで、周波数偏移変調（ＦＳＫ）信号からディジタル・データを検出する、請求項６記載の方法。
【請求項１０】  前記アナログ信号の周波数が、５００〜５，０００Ｈｚの範囲内にあり、前記ディジタル変調信号の公称周波数が、１０〜３０ＫＨｚの範囲内にある、請求項６記載の方法。
【請求項１１】  通話中、可聴音声信号からアナログ信号を発生するオーディオ回路と、
ディジタル・データで搬送波を変調して、ディジタル変調信号を発生する第１の変調器と、
前記アナログ信号と前記ディジタル変調信号を加算して、複合アナログ・ディジタル信号を発生する加算器と、
前記複合アナログ・ディジタル信号で高周波（ＲＦ）搬送波を変調して、変調されたＲＦ搬送波を発生する第２の変調器と、
前記変調されたＲＦ搬送波を送信する送信器と、からなる、コードレス電話デバイス。
【請求項１２】  前記コードレス電話デバイスが、コードレス電話ユニットを含む、請求項１１記載のコードレス電話デバイス。
【請求項１３】  前記コードレス電話デバイスが、コードレス基地局を含む、請求項１１記載のコードレス電話デバイス。
【請求項１４】  前記ディジタル・データが、発呼者識別（ＩＤ）データからなる、請求項１１記載のコードレス電話デバイス。
【請求項１５】  前記ディジタル・データが、視覚表示用のテキスト・メッセージ・データからなる、請求項１１記載のコードレス電話デバイス。
【請求項１６】  前記ディジタル変調信号を発生する前記第１の変調器が、周波数偏移変調（ＦＳＫ）信号を発生する、請求項１１記載のコードレス電話デバイス。
【請求項１７】  前記アナログ信号を発生する前記オーディオ回路が、５００〜５，０００Ｈｚの周波数を有するアナログ信号を発生し、前記ディジタル変調信号を発生する前記第１の変調器が、１０〜３０ＫＨｚの公称周波数を有するディジタル変調信号を発生する、請求項１１記載のコードレス電話デバイス。
【請求項１８】  通話中、変調された高周波（ＲＦ）搬送波を受信する受信器と、
前記変調されたＲＦ搬送波を復調して、複合アナログ・ディジタル信号を発生する復調器と、
前記複合アナログ・ディジタル信号を瀘波して、アナログ信号とディジタル変調信号とを互いに分離するフィルタと、
前記アナログ信号から可聴音声信号を発生するオーディオ回路と、
前記ディジタル変調信号からディジタル・データを検出する検波器と、
コードレス電話デバイスで表示または制御用に前記ディジタル・データを処理するプロセッサと、
前記ディジタル・データを受信中、消音されないままの状態にあるスピーカと、からなる、コードレス電話デバイス。
【請求項１９】  前記コードレス電話デバイスが、コードレス電話ユニットを含む、請求項１８記載のコードレス電話デバイス。
【請求項２０】  前記コードレス電話デバイスが、コードレス基地局を含む、請求項１８記載のコードレス電話デバイス。
【請求項２１】  前記ディジタル・データが、発呼者識別（ＩＤ）データからなる、請求項１８記載のコードレス電話デバイス。
【請求項２２】  前記ディジタル・データが、視覚表示用のテキスト・メッセージ・データからなる、請求項１８記載のコードレス電話デバイス。
【請求項２３】  前記検波器が、周波数偏移変調（ＦＳＫ）信号を含む前記ディジタル変調信号からディジタル・データを検出する、請求項１８記載のコードレス電話デバイス。
【請求項２４】  前記アナログ信号が、５００〜５，０００Ｈｚの周波数を有し、前記ディジタル信号が、１０〜３０ＫＨｚの公称周波数を有する、請求項１８記載のコードレス電話デバイス。
【請求項２５】  コードレス電話デバイスであって、
送信部が、
通話中、第１の可聴音声信号から第１のアナログ信号を発生する第１のオーディオ回路と、
通話中、第１のディジタル・データから第１の周波数偏移変調（ＦＳＫ）信号を発生する周波数偏移変調信号発生器と、
前記第１のアナログ信号と前記第１の周波数偏移変調（ＦＳＫ）信号を加算して、第１の複合アナログ・ディジタル信号を発生する加算器と、
前記第１の複合アナログ・ディジタル信号で第１の高周波（ＲＦ）搬送波を変調して、第１の変調されたＲＦ搬送波を発生する高周波（ＲＦ）変調器と、
前記第１の変調されたＲＦ搬送波を送信する送信器と、を含み、
受信部が、
通話中、第２の変調されたＲＦ搬送波を受信する受信器と、
前記第２の変調されたＲＦ搬送波を復調して、第２の複合アナログ・ディジタル信号を発生する復調器と、
前記第２の複合アナログ・ディジタル信号を瀘波して、第２のアナログ信号と第２の周波数偏移変調（ＦＳＫ）信号とを互いに分離する帯域フィルタと、
前記第２のアナログ信号から第２の可聴音声信号を発生する第２のオーディオ回路と、
前記第２の周波数偏移変調（ＦＳＫ）信号から第２のディジタル・データを検出する包絡線（エンベロープ）検波器と、
前記コードレス電話デバイスの制御と表示のために前記第２のディジタル・データを処理するプロセッサと、
前記第２のディジタル・データを受信中、消音されないままの状態にあるスピーカと、からなる、コードレス電話デバイス。